(57)【要約】【課題】表示パネル側の電極端子に対する接触子の接触位置を、より高精度に位置調整できると共に、調整操作の操作性を良好にすることができる表示パネル検査用ソケットを提供する。【解決手段】電極端子への接触子の接触位置を調整可能とする調整機構２１を有する表示パネル検査用ソケット１０において、調整機構２１は、ＴＡＢテープ３７を電極端子の整列方向に平行移動させることにより接触子の整列方向における接触位置の位置調整を可能とする整列方向調整手段と、ＴＡＢテープ３７を回転させることにより接触子の回転方向における接触位置の位置調整を可能とする回転方向調整手段とを有し、整列方向調整手段は、上側にＴＡＢテープ３７が収容されるスライダ２６が整列方向にスライド自在に設けられ、スライダ２６を整列方向の一方向に付勢するスプリング３３が設けられ、更に、表示パネル配設側から操作されることにより、スプリング３３の付勢力に抗してスライダ２６を一方向と反対方向の他方向にスライドさせるスライダ位置調整ねじ３４が設けられた。【選択図】      図８
2004341441.tif 000002
【特許請求の範囲】
【請求項１】
複数の電極端子を有する表示パネル及び、前記電極端子に接触可能とされた複数の接触子を有する外部回路が収容されるソケット本体と、前記電極端子への前記接触子の接触位置を調整可能とする調整機構を有する表示パネル検査用ソケットにおいて、
前記調整機構は、前記外部回路を前記電極端子の整列方向に平行移動させることにより前記接触子の整列方向における接触位置の位置調整を可能とする整列方向調整手段と、前記外部回路を回転させることにより前記接触子の回転方向における接触位置の位置調整を可能とする回転方向調整手段とを有し、
前記整列方向調整手段は、上側に前記外部回路が収容されるスライダが前記整列方向にスライド自在に設けられ、該スライダを前記整列方向の一方向に付勢する付勢手段が設けられ、更に、表示パネル配設側から操作されることにより、前記付勢手段の付勢力に抗して前記スライダを前記一方向と反対方向の他方向にスライドさせるスライド駆動手段が設けられたことを特徴とする表示パネル検査用ソケット。
【請求項２】
前記スライド駆動手段は、前記スライダの側縁部にテーパ部が形成されると共に、該テーパ部に皿ねじの頭部の下側傾斜面が摺接し、該皿ねじをねじ込むことにより、前記付勢手段の付勢力に抗して前記スライダがスライドされるように構成されたことを特徴とする請求項１に記載の表示パネル検査用ソケット。
【請求項３】
前記回転方向調整手段は、前記スライダをスライド自在に支持するスライダ固定ブロックが、回転ベース上に回転自在に設けられ、前記スライダ固定ブロックを所定角度回転させる回動駆動手段が設けられたことを特徴とする請求項１又は２に記載の表示パネル検査用ソケット。
【請求項４】
前記電極端子と前記接触子との接触部位を押圧する押圧板をスライド自在とし、前記表示パネルの前記ソケット本体への収容時に、前記表示パネルの収容範囲から退避可能とし、前記表示パネルの前記ソケット本体への収容後に、前記押圧板をスライドさせて前記接触部位を押圧するようにしたことを特徴とする請求項１乃至３の何れか一つに記載の表示パネル検査用ソケット。
【発明の詳細な説明】
【０００１】
【発明の属する技術分野】
この発明は、表示パネルの電極端子と、この電極端子に接触可能とされた複数の接触子との接触位置が調整可能とされた調整機構を有する表示パネル検査用ソケットに関するものである。
【０００２】
【従来の技術】
一般に、エレクトロルミネセンスパネルや液晶表示素子用パネルなどの表示パネルは、信号入力用の多数の電極端子を備えており、これら表示パネルの製造工程においては、駆動用ＩＣタブなどの周辺回路との接続前に表示欠陥箇所や表示品位などの検査が行われる。
【０００３】
従来から、このような表示パネルの検査を行う手段として、表示パネルの電極端子を外部駆動回路に電気的に接続させる表示パネル検査用ソケットが使用されている。
【０００４】
このような表示パネル検査用ソケットは、例えば、電極端子の整列方向に沿って長尺なガラス板等の支持基板を有しており、この支持基板上には、配線基板としての複数のコンタクトフィルムが、支持基板の長手方向に相互に隣接するように並設されている。そして、各コンタクトフィルムの、表示パネルの電極端子に対峙する位置には、各電極端子と電気的に接続可能とされた複数の接触子が、電極端子の整列方向に沿うようにして整列して形成されている。
【０００５】
しかし、このような表示パネル検査用ソケットにおいては、近年、表示パネルの電極端子のピッチの微細化に伴い、コンタクトフィルムを並設する際に、並設区間内の接触子の累積ピッチ誤差を、検査に耐え得る許容範囲内に留めることが困難になってきており、これに伴って、電極端子と接触子とを全区間に渡り、ショ−トのない状態で適正に接触させることが技術上の課題とされていた。
【０００６】
かかる課題を解決すべく、本出願人は、特許文献１に記載のような表示パネル検査用ソケットを提案した。
【０００７】
【特許文献１】
特開２００２−０９３５３８号公報。
【０００８】
【発明が解決しようとする課題】
しかしながら、このような従来の表示パネル検査用ソケットにあっては、表示パネル側の電極端子に対する接触子の接触位置を調整できるように成っているが、より高精度に位置調整できると共に、調整操作の操作性を良好に行うことができるソケットの提供が望まれている。
【０００９】
そこで、この発明は、上記の点に鑑みてなされたものであり、表示パネル側の電極端子に対する接触子の接触位置を、より高精度に位置調整できると共に、調整操作の操作性を良好にすることができる表示パネル検査用ソケットを提供することを課題としている。
【００１０】
【課題を解決するための手段】
かかる課題を達成するために、請求項１に記載の発明は、複数の電極端子を有する表示パネル及び、前記電極端子に接触可能とされた複数の接触子を有する外部回路が収容されるソケット本体と、前記電極端子への前記接触子の接触位置を調整可能とする調整機構を有する表示パネル検査用ソケットにおいて、前記調整機構は、前記外部回路を前記電極端子の整列方向に平行移動させることにより前記接触子の整列方向における接触位置の位置調整を可能とする整列方向調整手段と、前記外部回路を回転させることにより前記接触子の回転方向における接触位置の位置調整を可能とする回転方向調整手段とを有し、前記整列方向調整手段は、上側に前記外部回路が収容されるスライダが前記整列方向にスライド自在に設けられ、該スライダを前記整列方向の一方向に付勢する付勢手段が設けられ、更に、表示パネル配設側から操作されることにより、前記付勢手段の付勢力に抗して前記スライダを前記一方向と反対方向の他方向にスライドさせるスライド駆動手段が設けられた表示パネル検査用ソケットとしたことを特徴とする。
【００１１】
請求項２に記載の発明は、請求項１に記載の構成に加え、前記スライド駆動手段は、前記スライダの側縁部にテーパ部が形成されると共に、該テーパ部に皿ねじの頭部の下側傾斜面が摺接し、該皿ねじをねじ込むことにより、前記付勢手段の付勢力に抗して前記スライダがスライドされるように構成されたことを特徴とする。
【００１２】
請求項３に記載の発明は、請求項１又は２に記載の構成に加え、前記回転方向調整手段は、前記スライダをスライド自在に支持するスライダ固定ブロックが、回転ベース上に回転自在に設けられ、前記スライダ固定ブロックを所定角度回転させる回動駆動手段が設けられたことを特徴とする。
【００１３】
請求項４に記載の発明は、請求項１乃至３の何れか一つに記載の構成に加え、前記電極端子と前記接触子との接触部位を押圧する押圧板をスライド自在とし、前記表示パネルの前記ソケット本体への収容時に、前記表示パネルの収容範囲から退避可能とし、前記表示パネルの前記ソケット本体への収容後に、前記押圧板をスライドさせて前記接触部位を押圧するようにしたことを特徴とする。
【００１４】
【発明の実施の形態】
以下、この発明の実施の形態について説明する。
【００１５】
図１乃至図１２には、この発明の実施の形態を示す。
【００１６】
まず構成を説明すると、図中符号１０は表示パネル検査用ソケットで、このソケット１０は、「ソケット本体」としての板状の支持基板１２を有し、この支持基板１２には、図１に示すように開口１２ａが形成され、図３に示すように、この開口１２ａの形成範囲を覆うように表示パネル１３が装着されて、点灯検査等が行われるようになっている。
【００１７】
なお、検査対象となる表示パネル１３が透過型の液晶表示パネルである場合には、この開口１２ａを通して表示パネル１３の表示光を下方又は上方へ透過することができるようになっている。
【００１８】
また、支持基板１２上には、それら開口１２ａの各角部の位置に、表示パネル１３の角部をガイドして保持するための計４つの保持部１４，１４，１５，１５が配設され、これら各保持部１４，１４，１５，１５が、開口１２ａよりも図１に示すように僅かに内側に突出するように配設されている。
【００１９】
これら各保持部１４，１４，１５，１５の内、図１中、左側に配設された一対の保持部１４，１４には、これら保持部１４，１５にガイドされた表示パネル１３の角部上面を抑える角部用圧接保持部材１６が配設されている。
【００２０】
この角部押圧保持部材１６は、図１に示すように、表示パネル１３の角部上面を抑える押圧部１６ａと、回動操作されるレバー部１６ｂとが連結部１６ｃを介して連結されている。この押圧部１６ａは、例えば、ばね等の付勢力を介して表示パネル１３の角部に圧接され、この圧接状態で、図示省略の嵌合部に嵌合されることにより、圧接状態を維持できるように構成されている。また、このレバー部１６ｂを回動させることにより、連結部１６ｃを介して押圧部１６ａが回動されて表示パネル１３の上面に離接されるように構成されている。
【００２１】
また、その支持基板１２には、図１に示すように、保持部１４，１５に、その角部が保持された表示パネル１３の側端部を押圧するための一対の側端部押圧部材１７が配設されている。これら側端部押圧部材１７は、押圧ピン１７ａが図示省略のスプリングにより、突出方向に付勢され、これら押圧ピン１７ａが表示パネル１３の側端部に当接して押圧されることにより、表示パネル１３が図１及び図３中右方向及び上方向に付勢されている。これにより、表示パネル１３は、図１及び図３中右上の保持部１５を基準として位置決めされるように構成されている。
【００２２】
これで、表示パネル１３が支持基板１２上に装着されるように構成されている。
【００２３】
なお、表示パネル１３を支持基板１２に装着する際には、表示パネル１３の電極端子１３ａが形成されている側の面を下向きとして装着する。また、この実施の形態においては、表示パネル１３の電極端子１３ａは一辺部のみに形成されており、この一辺部が、開口１２ａの内周縁の図３における右側縁側に位置するように表示パネル１３が装着される。
【００２４】
そして、支持基板１２の右側縁部側には、表示パネル１３の電極端子１３ａと、ＴＡＢテープ３７の接触子３７ａとの接触位置を調整するための複数（この実施の形態では６個）の調整機構２１が、その支持基板１２の右側縁部に沿って隣接して配設されている。なお、これら各調整機構２１は、独立した構成で、支持基板１２に対して個々に着脱することが可能となっている。
【００２５】
この結果、支持基板１２に対する各調整機構２１の取付や取り外しあるいは持ち運びを簡便に行うことができるようになっている。また、調整機構２１を１個単位で取付け、取外しができるように構成されているので、検査対象となる表示パネル１３の種類が異なる種々のソケットに対しても組み合わせて適用することができ、部品の共通化、標準化を図ることが可能となっている。さらに、調整機構２１が故障した場合においても、故障した特定の調整機構２１のみを取り外せばよいため、修理という観点からも利便性を向上させることができるようになっている。
【００２６】
各調整機構２１は、図５に示すように、電極端子１３ａの整列方向に長尺とされた全体位置調整板２２上に着脱可能に取り付けられており、この全体位置調整板２２は、図１に示す調整ダイヤル２３を回転させることにより、図示省略のカムが回転されて、表示パネル１３の電極端子１３ａの整列方向（図１中上下方向）に移動可能とされている。
【００２７】
従って、各調整機構２１を取り付けた全体位置調整板６５を端子整列方向に沿って平行移動させることによって、まず、接触子１９ａ全体の電極端子１３ａに対する接触位置を調整することができるようになっている。また、全体位置調整板６５は、その表面が支持基板１２の表面と同一平面上に位置するように支持基板１２内に埋設されている。これにより、ソケット１０の薄型化を図ることができるようになっている。なお、各調整機構２１による個別的な位置調整については後述する。
【００２８】
ここで、各調整機構２１は、図７乃至図９に示すように、全体位置調整板２２上に回転ベース２４が取り付けられ、この回転ベース２４上にスライダ固定ブロック２５が配設され、このスライダ固定ブロック２５上にスライダ２６が配設され、更に、このスライダ２６上にＴＡＢ貼付プレート２７が配設されている。
【００２９】
詳しくは、その回転ベース２４には、図７に示すように、スライダ固定ブロック２５の回転調整を行う「回転方向調整手段」としてのプレート押圧部材２８及び回転調整部材２９が設けられている。
【００３０】
このプレート押圧部材２８は、内蔵されたスプリングにより押圧ピン２８ａが突出方向に付勢されて設けられ、この押圧ピン２８ａがスライダ固定ブロック２５の一辺部の図７中右端部に当接されている。
【００３１】
また、回転調整部材２９は、雄ねじ部２９ａが回転ベース２４に螺合され、この雄ねじ部２９ａの先端部がスライダ固定ブロック２５の一辺部の図７中左端部に当接されている。
【００３２】
そして、そのスライダ固定ブロック２５は、図７及び図９に示す回動ねじ３０により、回転ベース２４に対して水平面内で回動自在に設けられ、その調整ノブ２９ｂを操作することにより、回転ベース２４に対して所定角度、所定方向に回動されるように構成されている。
【００３３】
また、スライダ２６は、図７及び図８に示すように、貫通孔２６ａが２箇所形成され、これら貫通孔２６ａに一対の取付ねじ３１が挿通されてスライダ固定ブロック２５に螺合されている。このスライダ２６は、スライダ固定ブロック２５上で、図７中左右方向にスライド自在に配設されている。
【００３４】
そして、このスライダ２６は、図７及び図８に示す右側端縁部と、スライダ固定ブロック２５との間に設けられた３つのスプリング３３により、図７及び図８中、左方向に付勢されている。また、このスライダ２６の図７及び図８に示す左側端縁部には、テーパ部２６ｂが形成され、このテーパ部２６ｂには、「スライド駆動手段」としての皿ねじであるスライダ位置調整ねじ３４の頭部３４ａの下側傾斜面３４ｂが摺接している。これによれば、例えば、スライダ位置調整ねじ３４をねじ込むことにより、このねじ３４の頭部３４ａの下側傾斜面３４ｂが、スライダ２６のテーパ部２６ｂを摺動することにより、スライダ２６がスプリング３３の付勢力に抗して図７及び図８中右方向にスライドされるようになっている。
【００３５】
さらに、ＴＡＢ貼付けプレート２７は、図８に示すように、スライダ２６上に取付ねじ３６により取り付けられ、このＴＡＢ貼付けプレート２７の上面にＴＡＢテープ３７が貼り付けられ、このＴＡＢテープ３７は位置決め段差部２７ａにより左右方向の位置決めがなされるようになっている。また、このＴＡＢ貼付けプレート２７上には、表示パネル１３の配設側端部（図７中下側端部）にシリコーンゴム２７ｂが設けられ、このシリコーンゴム２７ｂ上に、図１０に示すように、ＴＡＢテープ３７の接触子３７ａ側の端縁部と表示パネル１３の電極端子１３ａ側の端縁部が載置されるようになっている。
【００３６】
そして、そのシリコーンゴム２７ｂ上に載置された、表示パネル１３の電極端子１３ａ側の端縁部及び、ＴＡＢテープ３７の接触子３７ａ側の端縁部を押圧する押圧機構４０が設けられている。
【００３７】
この押圧機構４０は、図１及び図３に示すように、６つの調整機構２１上に跨るような長板状の押圧板４１を有し、この押圧板４１には、図１０乃至図１２に示すように、先端部の下面部に略半円形状の押圧突部４１ａが形成される一方、この押圧板４１の両端部４１ａが、図１，図１０乃至図１２に示すように、支持基板１２上に設けられた支持部４２に支持されている。
【００３８】
詳しくは、この支持部４２にスライド孔４２ａが形成され、このスライド孔４２ａに押圧板４１の両端部４１ｂから水平方向に突設された支持軸４３が挿入されることにより、押圧板４１が支持されると共に、その支持軸４３の先端部には、押圧板用ノブ４４が設けられている。
【００３９】
また、その押圧板４１の両端部４１ｂの下面には、支持基板１２上に押圧板支え４６が配設され、この押圧板支え４６に設けられた略半球形状の支え部４６ａが押圧板４１の下面に摺接して支持している。この支え部４６ａは、上下動自在に配設され、内蔵されたスプリングにより上方に付勢されている。
【００４０】
これにより、押圧板用ノブ４４を掴んで操作することにより、図１０中矢印に示すように、押圧板４１をスライドさせることができるように構成されている。このスライド時には、図１及び図３に示すように、この押圧板４１の両端部４１ｂの端面に形成された２箇所の切欠き部４１ｃに、ボールプランジャ４５が嵌合されることにより、押圧板４１が所定のスライド位置（退避位置，押圧位置）で停止されるように構成されている。
【００４１】
さらに、その押圧板４１には、図１中左右方向に延びる長孔４１ｄが７箇所形成され、これら長孔４１ｄに支持ねじ４７が突設されている。これら支持ねじ４７に押圧体４８が螺合され、この押圧体４８を右回転又は左回転させることにより、この押圧体４８が上下動自在に配設され、この押圧体４８により、押圧板４１が下方に押圧されるように構成されている。
【００４２】
次に、作用について説明する。
【００４３】
表示パネル１３の表示欠陥箇所や表示品位などの検査を行うには、まず、図  に示すように、ＴＡＢ貼付けプレート２７上にＴＡＢテープ３７を貼り付けると共に、載置台５０上には、ＩＣタブ６０を駆動するための、ＩＣタブ駆動用配線支持基板６１を載置する。
【００４４】
このとき、図１に示すように、ＩＣタブ６０とＩＣタブ駆動用配線支持基板６１とを中継するための中継用配線支持基板６２が配設されており、この中継用配線支持基板６２は、一部が薄肉のフレキシブル配線部によって形成されている。
【００４５】
載置台５０上にＩＣタブ駆動用配線支持基板６１を載置した後、図１に示すように、押さえ板６３を支持基板１２に取り付けることにより、この押さえ板６３にて、ＩＣタブ駆動用配線支持基板６１を押さえるようにしている。
【００４６】
その後、表示パネル１３を支持基板１２上の所定位置にセットする。この際には、角部用圧接保持部材１６を上方に回動させて表示パネル１３の挿入範囲から退避させておく。また、押圧板４１も図１中右方向にスライドさせて、表示パネル１３の挿入範囲から退避させておく。
【００４７】
そして、保持部１４，１５への表示パネル１３の保持が完了した後に、その角部用圧接保持部材１６を表示パネル１３側に回動させて表示パネル１３の角部表面を押圧し、表示パネル１３の装着が完了する。
【００４８】
次に、接触子３７ａと電極端子１３ａとの位置調整を行う。まず、接触子３７ａ全体の電極端子１３ａに対する接触位置を調整する。この調整は、調整ダイヤル２３を回転させることによって、同軸上の偏心カムを偏心回転させる。これにより、偏心カムの外周に当接された板ばねが、その付勢力に抗する方向に押動され、これに伴って、板ばねが固定された全体位置調整板２２が整列方向に沿って平行移動する。これにより、接触子３７ａ全体の電極端子１３ａに対する接触位置を調整することができる。
【００４９】
接触子３７ａ全体の接触位置の調整が完了した後、更に、各調整機構２１毎に個別に接触子３７ａの接触位置を調整する。
【００５０】
すなわち、調整機構２１によって整列方向における接触子３７ａの接触位置を調整する場合は、スライダ位置調整ねじ３４を上方から（表示パネル１３配設側から）操作することにより、スライダ２６を整列方向にスライドさせることができる。例えば、図７及び図８の状態から、スライダ位置調整ねじ３４をねじ込んで行くと、頭部３４ａの位置が下がって行くため、この頭部３４ａの下側傾斜面３４ｂがスライダ２６のテーパ部２６ｂを摺動することにより、このスライダ２６がスプリング３３の付勢力に抗して図７及び図８中右方向にスライドさせられる。一方、スライダ位置調整ねじ３４を上記と反対方向に回転させ、頭部３４ａの位置を上昇させて行くと、スライダ２６はスプリング３３の付勢力により、図７及び図８中左方向にスライドさせられる。
【００５１】
このようなものにあっては、上方からスライダ位置調整ねじ３４を操作することにより、スライダ２６をスライドさせることができるため、水平方向（横方向）からドライバー等の工具により操作するものと比較すると、操作性が極めて良好である。また、スライダ位置調整ねじ３４のねじ込み量によりスライダ２６のスライド量を微調整することができ、高精度に調整できる。
【００５２】
次に、調整機構２１によって回転方向における接触子３７ａを調整する場合は、調整ノブ２９ｂを操作して回転させ、スライダ固定ブロック２５を回動ねじ３０を中心に所定方向に所定角度回動させる。
【００５３】
すなわち、回転調整部材２９をねじ込んで行くと、スライダ固定ブロック２５は、回動ねじ３０を中心にプレート押圧部材２８の付勢力に抗して図７中反時計回りに回動される。反対に、回転調整部材２９を緩めて行くと、スライダ固定ブロック２５は、回動ねじ３０を中心にプレート押圧部材２８の付勢力にて図７中時計回りに回動される。
【００５４】
これにより、ＴＡＢテープ３７を図７における時計方向又は反時計方向に任意に回転させることができ、ＴＡＢテープ３７に形成された接触子３７ａによる回転方向における接触位置の調整を行うことができる。
【００５５】
このようにして接触子３７ａと表示パネル１３の電極端子１３ａとの位置調整が完了したら、押圧板４１を図１及び図１０に示す状態から左方向に図３及び図１１に示す状態までスライドさせる。これは、一対の押圧板用ノブ４４を持って操作する。
【００５６】
その後、図１１に示す状態から押圧体４８を下降させて押圧板４１を下方に押圧する。これにより、図１２に示すように、押圧板４１の先端部に形成された押圧突部４１ａで、表示パネル１３の電極端子１３ａと、接触子３７ａとの接圧を確保して電気的に安定した接触状態として、その後、検査に移行する。
【００５７】
従って、この実施の形態によれば、整列方向及び回転方向における接触子３７ａの接触位置の調整を可能とすることにより、表示パネル１３の電極端子１３ａと、ソケット１０側の接触子３７ａとを確実に接触させることが可能となり、より適正且つ効率良く、点灯検査を行うことができる。
【００５８】
また、各調整機構２１を別個独立の構成にしたことによって、支持基板１２に対する各調整機構２１の交換を別個に且つ容易に行うことができ、利便性を向上させることができる。
【００５９】
さらに、調整機構２１を種々のソケット１０に共通して使用することができ、独立した部品として共通化、標準化を図ることができる。
【００６０】
さらにまた、押圧板４１を水平方向にスライドさせて、表示パネル１３の挿入範囲から退避させると共に、表示パネル１３を押圧するようにしているため、操作性が良好であると同時に、ソケット１０自体の高さを低くでき、且つ、表示パネル１３の損傷を未然に防止できる。すなわち、表示パネル１３を押さえる部材を着脱式とすると、着脱作業に手間が掛かり、又、回動式とすると、倒れた時に表示パネル１３を損傷させる虞があると共に、上方に回動させて退避させたときに、ソケット自体が高くなってしまうという問題がある。
【００６１】
なお、上記実施の形態では、「外部回路」としてＴＡＢテープ３７を適用しているが、これに限らず他のものでも良いことは勿論である。
【００６２】
【発明の効果】
以上説明してきたように、請求項１に記載の発明によれば、外部回路を電極端子の整列方向に平行移動させることにより接触子の整列方向における接触位置の位置調整を可能とする整列方向調整手段と、外部回路を回転させることにより接触子の回転方向における接触位置の調整を可能とする回転方向調整手段とを有し、この整列方向調整手段は、上側に外部回路が収容されるスライダが整列方向にスライド自在に設けられ、このスライダを整列方向の一方向に付勢する付勢手段が設けられ、更に、表示パネル配設側から操作されることにより、付勢手段の付勢力に抗してスライダを一方向と反対方向の他方向にスライドさせるスライド駆動手段とを有するため、表示パネル側の電極端子に対する接触子の接触位置を、より高精度に位置調整できると共に、スライド駆動手段を上方から操作することにより、調整操作の操作性を良好に行うことができる。
【００６３】
請求項２に記載の発明によれば、スライド駆動手段は、スライダの側縁部にテーパ部が形成されると共に、テーパ部に皿ねじの頭部の下側傾斜面が摺接し、皿ねじをねじ込むことにより、付勢手段の付勢力に抗してスライダをスライドさせるようにしたため、上方から皿ねじを回すだけで良く、操作性が良好であると共に、ねじ込み量によりスライダのスライド量を微調整することができ、高精度に調整できる。
【００６４】
請求項４に記載の発明によれば、電極端子と接触子との接触部位を押圧する押圧板をスライド自在とし、表示パネルのソケット本体への収容時に、表示パネルの収容範囲から退避可能とし、表示パネルのソケット本体への収容後に、押圧板をスライドさせて接触部位を押圧するようにしたため、スライド式とすることで押圧操作を容易に行うことができると共に、押圧板が倒れることがないので表示パネルの損傷を未然に防止でき、しかも、高さも低くすることができる。
【図面の簡単な説明】
【図１】この発明の実施の形態に係る表示パネル検査用ソケットの押圧板を退避させた状態の平面図である。
【図２】同実施の形態に係る図１の拡大正面図である。
【図３】同実施の形態に係る表示パネル検査用ソケットの押圧板を退避させた状態の平面図である。
【図４】同実施の形態に係る図３の拡大正面図である。
【図５】同実施の形態に係る全体位置調整板に調整機構を配設した状態を示す平面図である。
【図６】同実施の形態に係る図５の右側面図である。
【図７】同実施の形態に係る図５のＸ部の拡大平面図である。
【図８】同実施の形態に係る図７のＡ−Ａ線に沿う断面図である。
【図９】同実施の形態に係る図７のＢ−Ｂ線に沿う断面図である。
【図１０】同実施の形態に係る押圧機構を示す拡大正面図で、押圧板を退避させた状態を示す図である。
【図１１】同実施の形態に係る押圧機構を示す拡大正面図で、押圧板を前進させた状態を示す図である。
【図１２】同実施の形態に係る押圧機構を示す拡大正面図で、押圧板を下方に押圧した状態を示す図である。
【符号の説明】
１０  表示パネル検査用ソケット
１２  支持基板
１３  表示パネル
１３ａ  電極端子
２１  調整機構
２２  全体位置調整板
２４  回転ベース
２５  スライダ固定ブロック
２６  スライダ
２６ｂ  テーパ部（整列方向調整手段）
２７  ＴＡＢ貼付けプレート
２８  プレート押圧部材（回転方向調整手段，回動駆動手段）
２９  回転調整部材（回転方向調整手段，回動駆動手段）
３０  回動ねじ
３３  スプリング（付勢手段）
３４  スライダ位置調整ねじ（整列方向調整手段，スライド駆動手段）
３４ａ  頭部
３４ｂ  下側傾斜面
４０  押圧機構
４１  押圧板
【図１】
2004341441.tif 000003
【図２】
2004341441.tif 000004
【図３】
2004341441.tif 000005
【図４】
2004341441.tif 000006
【図５】
2004341441.tif 000007
【図６】
2004341441.tif 000008
【図７】
2004341441.tif 000009
【図８】
2004341441.tif 000010
【図９】
2004341441.tif 000011
【図１０】
2004341441.tif 000012
【図１１】
2004341441.tif 000013
【図１２】
2004341441.tif 000014